(57)【要約】【課題】対象物を手の拇指と他の指との間に挟持する場合において、使用時の装着時間を短縮することができ、コストを低減することができる指装着具を提供する。【解決手段】指装着具１は、拇指１０と他の指との間に粘着テープ８などを挟持する際に使用され、頭部２および下あご部６を備える。頭部２および下あご部６は、粘着テープ８などを挟持する第１挟持面４ａおよび第２挟持面６ａをそれぞれ有する。指装着具１は、拇指１０が挿入孔５に挿入されることにより拇指１０に装着され、その状態では、頭部２および下あご部６は、第１挟持面４ａおよび第２挟持面６ａが互いの間に所定角度をなす開放位置に保持される。【選択図】図１
2009090075.tif 000002
【特許請求の範囲】
【請求項１】
対象物を手の拇指と他の指との間に挟持する際に使用する指装着具であって、
第１挟持面および挿入部を有し、前記拇指および前記他の指の一方が当該挿入部に挿入されることにより当該一方の指に装着される第１挟持部と、
当該第１挟持部に設けられ、前記第１挟持面との間に前記対象物を挟持するための第２挟持面を有する第２挟持部と、
を備え、
前記第１挟持部および前記第２挟持部は、前記第１挟持面および前記第２挟持面が互いの間に所定角度をなす開放位置と、前記第１挟持面および前記第２挟持面の間に前記対象物を挟持する挟持位置との間で相対的に回動可能に設けられ、前記第１挟持部が前記一方の指に装着された状態では前記開放位置に位置するように構成されていることを特徴とする指装着具。
【請求項２】
前記対象物は、透明な粘着テープであり、
前記第１挟持部の第１挟持面および前記第２挟持部の前記第２挟持面の少なくとも一方には、複数の凹部が形成されていることを特徴とする請求項１に記載の指装着具。
【請求項３】
前記対象物は、透明性な粘着テープであり、
前記第１挟持部の第１挟持面および前記第２挟持部の第２挟持面の少なくとも一方は、前記粘着テープの粘着剤が付着しにくい特性の材質で構成されていることを特徴とする請求項１に記載の指装着具。
【請求項４】
当該指装着具は、動物の頭部を模した形状を有しており、前記第１挟持部および前記第２挟持部が前記開放位置にあるときには、当該動物が口を開けた状態となるように構成されていることを特徴とする請求項１ないし３のいずれかに記載の指装着具。
【発明の詳細な説明】
【技術分野】
【０００１】  本発明は、対象物を手の拇指と他の指との間に挟持する際、指が対象物に直に触れるのを回避するために用いる指装着具に関する。
【背景技術】
【０００２】  従来より、対象物を手に取る際、指が対象物に直に触れるのを回避するためのものとして、手袋や特許文献１に記載された指装着具が知られている。手袋の場合、これを手に装着すると、すべての指が手袋に覆われた状態になり、それにより、対象物を手に取る際、指が対象物に直に触れるのを回避できる。【０００３】  また、特許文献１の指装着具は、シート状のものであり、使用時には、まず、これを手の指の外周に巻き付けた後、先端部を折り曲げることで、指装着具が指に装着される。したがって、この指装着具の場合、指装着具を拇指と他の指にそれぞれ装着することで、対象物を手に取る際、指が対象物に直に触れるのを回避できる。【０００４】
【特許文献１】特開２００５−６８６０３号公報
【発明の開示】
【発明が解決しようとする課題】
【０００５】  前述した手袋の場合、使用時、手に装着するのに時間を要するという不具合を有している。これに加えて、対象物が小さく、手の拇指と他の指との間に挟持すればよい場合には、手袋は、使用しない不要な部分が多く、その分、コストアップを招いてしまう。【０００６】  また、前述した特許文献１の指装着具によれば、使用時、これを２本以上の指に巻き付けた後、先端部を折り曲げる必要があるので、手袋と同様に、手に装着するのに時間を要するという不具合を有している。これに加えて、２つ以上の指装着具をそれぞれ２本以上の指に装着する必要があるので、その分、装着時間がさらに長くなってしまうとともに、コストアップを招いてしまう。【０００７】  本発明は、上記課題を解決するためになされたもので、対象物を手の拇指と他の指との間に挟持する場合において、使用時の装着時間を短縮することができ、コストを低減することができる指装着具を提供することを目的とする。
【課題を解決するための手段】
【０００８】  上記目的を達成するために、請求項１に係る発明は、対象物（例えば実施形態における粘着テープ８）を手の拇指１０と他の指（示指１１など）との間に挟持する際に使用する指装着具１であって、第１挟持面４ａおよび挿入部（挿入孔５）を有し、拇指１０および他の指の一方が挿入部に挿入されることにより一方の指に装着される第１挟持部（頭部２）と、第１挟持部に設けられ、第１挟持面４ａとの間に対象物を挟持するための第２挟持面６ａを有する第２挟持部（下あご部６）と、を備え、第１挟持部および第２挟持部は、第１挟持面４ａおよび第２挟持面６ａが互いの間に所定角度をなす開放位置と、第１挟持面４ａおよび第２挟持面６ａの間に対象物を挟持する挟持位置との間で相対的に回動可能に設けられ、第１挟持部が一方の指に装着された状態では開放位置に位置するように構成されていることを特徴とする。【０００９】  この指装着具によれば、使用時、拇指および他の指の一方を第１挟持部の挿入部に挿入することにより、第１挟持部すなわち指装着具が一方の指に装着される。その状態では、第１挟持部および第２挟持部は、第１挟持面および第２挟持面が互いの間に所定角度をなす開放位置に位置する。そして、拇指または他の指によって第１挟持部および第２挟持部の一方が押されると、第１挟持部および第２挟持部が開放位置から挟持位置側に相対的に回動することにより、対象物が第１挟持面および第２挟持面の間に挟持される。このように、拇指または他の指を第１挟持部の挿入部に挿入させるだけで、指装着具が使用可能な状態となるので、従来の手袋や特許文献１の指装着具と比べて、使用時の装着時間を短縮することができる。これに加えて、指を第１挟持部の挿入部から抜くことにより、指装着具を指から取り外すことができ、それにより、短時間で着脱可能な指装着具を実現することができる。また、第１挟持部および第２挟持部を備えた１つの指装着具を用いるだけで、対象物を手の拇指と他の指との間に挟持することできるので、２つの指装着具を用いる特許文献１の場合や、不要な部分の多い手袋を用いる場合と比べて、コストを削減することができる。【００１０】  請求項２に係る発明は、請求項１に記載の指装着具１において、対象物は、透明な粘着テープ８であり、第１挟持部の第１挟持面４ａおよび第２挟持部の第２挟持面６ａの少なくとも一方には、複数の凹部（長孔６ｂ）が形成されていることを特徴とする。【００１１】  この指装着具によれば、透明な粘着テープを挟持するために用いられるので、指紋や手あかが、粘着テープの両面、特にその粘着面に付着するのを回避できる。また、第１挟持部の第１挟持面および第２挟持部の第２挟持面の少なくとも一方には、複数の溝が互いに平行に形成されているので、粘着テープを挟持する際、複数の凹部が形成された方の挟持面を粘着テープの粘着面側に当てることにより、挟持面に作用する粘着剤の粘着力を低減することができる。それにより、挟持後、粘着テープを指装着具から容易に剥がすことができ、高い利便性を確保することができる。【００１２】  請求項３に係る発明は、請求項１に記載の指装着具１において、対象物は、透明な粘着テープ８であり、第１挟持部の第１挟持面４��および第２挟持部の第２挟持面６ａの少なくとも一方は、粘着テープ８の粘着剤が付着しにくい特性の材質（ポリテトラフルオロエチレン）で構成されていろことを特徴とする。【００１３】  この指装着具によれば、透明な粘着テープを挟持するために用いられるので、指紋や手あかが、粘着テープの両面、特にその粘着面に付着するのを回避できる。また、第１挟持部の第１挟持面および第２挟持部の第２挟持面の少なくとも一方が、粘着テープの粘着剤が付着しにくい特性の材質で構成されているので、粘着テープを挟持する際、付着しにくい特性の材質で構成された部分を粘着テープの粘着面側に当てることにより、挟持面に作用する粘着剤の粘着力を低減することができる。それにより、挟持後、粘着テープを指装着具から容易に剥がすことができ、高い利便性を確保することができる。【００１４】  請求項４に係る発明は、請求項１ないし３のいずれかに記載の指装着具１において、指装着具１は、動物の頭部を模した形状を有しており、第１挟持部および第２挟持部が開放位置にあるときには、動物が口を開けた状態となるように構成されていることを特徴とする。【００１５】  この指装着具によれば、対象物を挟持するために、第１挟持部または第２挟持部を相対的に開放位置から挟持位置に回動させると、その際の指装着具の動きが、動物が口を開けた状態から対象物に噛みつく動作を模したものとなる。それにより、使用者の興趣を増大させることができる。
【発明を実施するための最良の形態】
【００１６】  以下、図面を参照しながら、本発明の一実施形態に係る指装着具について説明する。図１〜３は、本実施形態の指装着具１の概略構成を示しており、同図１に示すように、この指装着具１は、ワニの頭部を模した外観を有している。なお、以下の説明においては、指装着具１として、右利き用のものを例にとって説明するとともに、図２の上側を「上」、下側を「下」、左側を「左」、右側を「右」、手前側を「前」、奥側を「後ろ」とそれぞれいう。【００１７】  指装着具１は、頭部２（第１挟持部）および下あご部６（第２挟持部）を備えており、これらの頭部２および下あご部６は、合成樹脂で構成され、互いに一体に形成されている。頭部２は、ワニの上あご部および頭部に相当する部分であり、基部３および平板部４などを有している。【００１８】  基部３は、可撓性を有し、その外表面に、ワニの鼻、目および突起などが形成されている。また、基部３は、その右端部が平板部４の右端部と一体に形成され、左端部が平板部４との間に所定の隙間を有する状態で設けられているとともに、中央部が平板部４との間に、挿入孔５（挿入部）を形成している。【００１９】  この挿入孔５は、図３に破線で示すように、前後方向に延び、前側の開口面積が後ろ側の開口面積よりも大きくなっている。すなわち、挿入孔５は、後ろ側に向かって先細に形成されている。また、平板部４は、その下面が平らな第１挟持面４ａとなっている。【００２０】  一方、下あご部６は、平板状で平らな上面を有しており、この上面には、ポリテトラフルオロエチレンを含浸させたガラス布が貼り付けられている。この下あご部６のガラス布が貼り付けられた上面は、第２挟持面６ａとなっている。また、下あご部６には、５つの長孔６ｂ（凹部）が形成されており、これらの長孔６ｂは、下あご部６を上下方向に貫通しているとともに、互いに平行に左右方向に延びている。【００２１】  さらに、下あご部６は、その右端が基部３と一体に形成され、平板部４に対して、第１挟持面４ａおよび第２挟持面６ａが互いの間に所定角度（４５°）をなす開放位置（図２に示す位置）と、第１挟持面４ａおよび第２挟持面６ａの間に粘着テープ８を挟持する挟持位置（図４に示す位置）との間で相対的に回動可能に設けられている。なお、この所定角度は、４５°に限らず、所定の鋭角であればよい。【００２２】  次に、図５，６を参照しながら、以上のように構成された指装着具１の使用時の動作を、粘着テープ８をテープカッタ９から切り離すために指装着具１を用いた場合を例にとって説明する。まず、指装着具１の頭部２を上側にした状態で、拇指１０を挿入孔５に前側から挿入すると、挿入孔５が拡がるように、基部３が撓んで弾性変形し、それにより、頭部２が挿入孔５を介して拇指１０に嵌合する。その結果、図５に示すように、指装着具１が頭部２を上側にした状態で拇指１０に装着され、その状態では、指装着具１の外観は、ワニが口を開けた形態を模したものとなる。【００２３】  次いで、示指１１（他の指）を曲げた状態で下あご部６の下面に添えながら、下あご部６の第２挟持面６ａを、粘着テープ８の粘着面に下方から当接させ、その状態から、拇指１０すなわち頭部２を下方に回動させると、粘���テープ８が頭部２と下あご部６の間に挟持される（図４，６参照）。この状態では、指装着具１の外観は、ワニが粘着テープ８に噛みついた形態を模したものとなる。【００２４】  そして、粘着テープ８を、テープカッタ９から所望の長さ分引き出した後、テープカッタ９の歯９ａで切断する（図６参照）。次いで、粘着テープ８を、これを所望の部位に貼り付けた後、拇指１０と示指１１を相対的に開放位置側に回動させながら、粘着テープ８を指装着具１から剥がす。その後、拇指１０を挿入孔５から抜くことにより、指装着具１が拇指１０から外れる。【００２５】  以上のように、本実施形態の指装着具１によれば、使用時、拇指１０を挿入孔５に挿入することにより、指装着具１が、拇指１０に装着され、使用可能な状態となる。このように、拇指１０を頭部２の挿入孔５に挿入させるだけで、指装着具１が使用可能な状態となるので、従来の手袋や指装着具と比べて、使用時の装着時間を短縮することができる。これに加えて、拇指１０を挿入孔５から抜くだけで、指装着具１を拇指１０から取り外すことができ、それにより、短時間で着脱可能な指装着具１を実現することができる。【００２６】  また、頭部２および下あご部６を備えた１つの指装着具１を用いるだけで、挟持対象としての粘着テープ８を、拇指１０と他の指（例えば示指１１）との間に挟持することできるので、２つの指装着具を用いる従来の場合や、不要な部分の多い手袋を用いる場合と比べて、コストを削減することができる。【００２７】  さらに、指装着具１を、テープカッタ９から粘着テープ８を切り離すのに用いた場合、指が粘着テープ８の両面に直に触れることがないので、指紋や手あかが、粘着テープ８の両面、特にその粘着面に付着するのを回避できる。【００２８】  また、下あご部６の第２挟持面６ａは、ポリテトラフルオロエチレンを含浸させたガラス布を貼り付けた面であり、粘着テープ８の粘着剤が付着しにくい特性を有しているので、粘着テープ８を挟持する際、第２挟持面６ａを粘着テープ８の粘着面側に当てることにより、第２挟持面６ａに作用する粘着剤の粘着力を低減することができる。これに加えて、下あご部６には、５つの長孔６ｂが形成されており、これらの長孔６ｂによって、第２挟持面６ａが粘着テープ８の粘着面側に当接する際の接触面積を低減することができ、それにより、第２挟持面６ａに作用する粘着剤の粘着力をさらに低減することができる。以上により、挟持後、粘着テープ８を指装着具１から容易に剥がすことができ、高い利便性を確保することができる。【００２９】  さらに、指装着具１がワニの頭部を模した形状を有しており、指装着具１で粘着テープ８を挟持する際の動作は、ワニが口を開けた状態から粘着テープ８に噛みつく形態を模したものとなり、それによって、使用者の興趣を増大させることができる。【００３０】  なお、実施形態は、本発明の指装着具１によって粘着テープ８を挟持した例であるが、本発明の指装着具によって挟持する対象物はこれに限らず、第１挟持面４ａと第２挟持面６ａとの間に挟持可能なものであればよい。【００３１】  また、実施形態は、本発明の指装着具１を拇指１０に装着した例であるが、指装着具を拇指以外の指を装着してもよい。例えば、示指または中指などを挿入部に挿入にすることにより、指装着具を示指または中指などに装着して使用してもよい。【００３２】  さらに、実施形態は、挿入部として挿入孔５を用いた例であるが、本発明の挿入部はこれに限らず、指を挿入することにより指装着具がその指に装着されるものであればよい。【００３３】  これに加えて、実施形態は、挿入孔５を頭部２に設けた例であるが、挿入孔５を下あご部６に設けてもよい。【００３４】  また、実施形態は、第１および第２挟持部としての頭部２および下あご部６を互いに一体に形成した例であるが、本発明の第１および第２挟持部はこれに限らず、一方が他方に対して、開放位置と挟持位置の間で相対的に回動自在に設けられているものであればよい。例えば、第１および第２挟持部を、互いに別体に形成するとともに、回動軸を介して、開放位置と挟持位置の間で相対的に回動自在に連結してもよい。【００３５】  さらに、実施形態は、複数の凹部として互いに平行な５つの長孔６ｂを用いた例であるが、本発明の凹部はこれに限らず、粘着テープ８の粘着面との接触面積を減らすことができるものであればよい。例えば、凹部として、互いに平行な複数の長溝や、複数の穴または複数の孔などを用いてもよい。さらに、複数の凹部を第１挟持面４ａ側に設けてもよい。【００３６】  また、実施形態は、下あご部６の第２挟持面６ａをポリテトラフルオロエチレンを含浸させたガラス布を貼り付けた面で構成した例であるが、本発明の第２挟持面６ａの材質はこれに限らず、粘着テープ８の粘着剤が付着しにくい特性のものであればよい。例えば、第２挟持面６ａの材質として、テトラフルオロエチレン−ヘキサフルオロプロピレン共重合体、テトラフルオロエチレン−パーフルオロアルキルビニルエーテル共重合体およびテトラフルオロエチレン−エチレン共重合体などを用いてもよい。さらに、第１挟持面４ａも、第２挟持面６ａと同様に、粘着テープ８の粘着剤が付着しにくい特性の材質で構成してもよい。【００３７】  一方、実施形態は、本発明の指装着具１をワニの頭部に模した形状とした例であるが、本発明の指装着具はこれに限らず、動物の頭部に模した形状のものであればよい。例えば、指装着具を、猫や、犬、ねずみ、虎、ライオンなどの頭部に模した形状としてもよい。【００３８】  さらに、実施形態は、本発明の指装着具１を右利き用に構成した例であるが、本発明の指装着具を左利き用すなわち左手の指用に構成してもよい。その場合には、挿入孔５を図２の手前側に向かって先細に形成すればよい。
【図面の簡単な説明】
【００３９】
【図１】  本発明の一実施形態に係る指装着具の概略構成を示す斜視図である。
【図２】  指装着具の概略構成を示す正面図である。
【図３】  指装着具の概略構成を示す平面図である。
【図４】  指装着具により粘着テープを挟持した状態を示す図である。
【図５】  指装着具の使用時、指装着具で粘着テープを挟持する前の状態を示す斜視図である。
【図６】  粘着テープを指装着具で挟持しながらテープカッタから切り離した状態を示す斜視図である。
【符号の説明】
【００４０】    １  指装着具
２  頭部（第１挟持部）
４ａ  第１挟持面
５  挿入孔（挿入部）
６  下あご部（第２挟持部）
６ａ  第２挟持面
６ｂ  長孔（凹部）
８  粘着テープ（対象物）
１０  拇指
１１  示指（他の指）
【図１】
2009090075.tif 000003
【図２】
2009090075.tif 000004
【図３】
2009090075.tif 000005
【図４】
2009090075.tif 000006
【図５】
2009090075.tif 000007
【図６】
2009090075.tif 000008